(57)【要約】    【課題】  本発明の目的は、個人生体データ入力部を保護し、個人認証操作を確実に行なうことができる個人認証装置を提供することにある。    【解決手段】  本発明は、個人登録情報入力部と、個人生体情報処理部とを有する個人認証装置において、個人生体情報入力部と、少なくとも前記個人生体情報入力部を被う開口蓋部と、該開口蓋部のロック又は解除を行う固着部と、前記個人登録情報入力部から入力された情報と予め登録されている個人登録情報とを比較し前記固着部のロック又は解除を行う制御部とを有することを特徴とする個人認証装置にある。【選択図】  図１
2005128935.tif 000002
【特許請求の範囲】
【請求項１】
個人登録情報入力部と、個人生体情報処理部とを有する個人認証装置において、個人生体情報入力部と、少なくとも前記個人生体情報入力部を被う開口蓋部と、該開口蓋部のロック又は解除を行う固着部と、前記個人登録情報入力部から入力された情報と予め登録されている個人登録情報とを比較し前記固着部のロック又は解除を行う制御部とを有することを特徴とする個人認証装置。
【発明の詳細な説明】
【技術分野】
【０００１】
本発明は、個人の生体データを利用して個人又は複数人のグループを認証する新規な個人認証装置に関する。
【背景技術】
【０００２】
従来、特許文献１及び特許文献２に示されるように、個人の生体データを利用して個人認証を行なう装置は、必ず個人生体データを入力する部分を有し、入力したデータを使用し個人の特徴点を抽出、記憶・登録しておき、個人認証動作時に入力された個人生体データと予め登録されているデータとを照合し、個人認証が行なわれている。
【０００３】
【特許文献１】特開２００３−８５５３９号公報
【特許文献２】特開２００３−３０６３２号公報
【発明の開示】
【発明が解決しようとする課題】
【０００４】
しかし、個人認証装置は、一般に家屋、屋外倉庫、アパート等において誰でも近づくことができる所に設置されており、又、個人認証装置の個人生体データ入力部が開放されているため、いたずら等によって入力部が塞がれ、個人生体データが入力できず個人認証が行えず建屋への入室ができないという問題があった。
【０００５】
本発明の目的は、個人生体データ入力部を保護し、個人認証操作を確実に行える個人認証装置を提供することにある。
【課題を解決するための手段】
【０００６】
本発明は、少なくとも個人生体情報入力部を被う開閉可能な蓋と、装置内部に蓋をロック又は解除する固着部と、固着部を制御する制御部とを設けると共に、個人登録番号入力部から入力された個人登録番号と予め登録されている個人登録番号が一致した時、制御部により固着部のロックを解除することにより個人生体情報入力部を開放し個人生体データ入力を可能とすることで達成される。
【０００７】
具体的には、本発明は、個人登録情報入力部と、個人生体情報処理部とを有する個人認証装置において、個人生体情報入力部と、少なくとも前記個人生体情報入力部を被う開口蓋部と、該開口蓋部のロック又は解除を行う固着部と、前記個人登録情報入力部から入力された情報と予め登録されている個人登録情報とを比較し前記固着部のロック又は解除を行う制御部とを有することを特徴とする。
【０００８】
前記個人生体情報入力部が指の個人静脈情報入力部であり、前記個人生体情報処理部が指の個人静脈情報処理部であることが好ましく、更に、前記個人静脈情報処理部は、前記指に対して透過光を照射する光源部と、任意波長に対して光透過性を有する干渉フィルタ部と、該干渉フィルタ部を透過した透過光を撮像する撮像部と、該撮像部から出力される前記指の静脈画像データの画像処理部と、該処理された画像データと予め登録されている画像データとの照合を行う照合部と、該照合処理部の処理結果を出力する出力部とを有することが好ましい。
【０００９】
指の個人静脈情報は、１０本の指が対象であり、どの指でも少なくとも１本の指によって認証するのが好ましいが、複数本での認証は装置自身が複雑になるが、より正確な認証を行う上で更に好ましい。指の認証の場所は第２間接と第３間接との間によって行われるのが好ましい。更に、中指での認証が指の設定において指のローリングを少なくできることから好ましい。
【００１０】
前記開口蓋部は、回転可能に設置された蓋と、前記制御部からの信号によって前記ロック又は解除する電磁石とを有すること、又は、開口蓋部は、上下移動可能に設置された蓋と、該蓋を上下に駆動する駆動機構部と、蓋開閉指示ボタンと、該蓋開閉指示ボタンからの信号によって駆動する監視カメラとを有し、該監視カメラによって入力された画像に基づく前記制御部からの信号によって前記駆動機構部を駆動させるものであることが好ましい。
【００１１】
前記個人登録情報入力部が、テンキーボードと、液晶表示部とを有すること、又、前記個人静脈情報入力部は、指挿入部を有し、前記指の挿入後の入口における前記指の付け根部の上下位置を規制する指押し当て部及び前記指の挿入後の先端位置を規制する指突き当て部の少なくとも一方を有することが好ましい。指押し当て部は指挿入部の入り口先端が指の形状に沿った凹部形状を有し、指の横方向への移動がないようにすると共に、第２間接と第３間接との間が指挿入部の本体に直接接触しないように指の付け根部が指の先端よりやや浮いた状態になるような凸状の形状を有するものである。又、反対に指を甲側で指挿入部の入り口先端が指の形状に沿った凹部形状を有し、指の横方向への移動がないようにすることでも良い。指突き当て部は挿入長を規制し、指静脈画像の再現性を高めることを目的として、指長軸方向のずれを防止し挿入長を常に正しい位置に設定することができる。
【発明の効果】
【００１２】
本発明によれば、個人生体データを利用して個人又は複数人のグループを認証する場合、個人生体データ入力部を保護し、個人認証操作を確実に行える個人認証装置を提供することができる。
【発明を実施するための最良の形態】
【００１３】
以下、発明を実施するための最良の形態を実施例によって説明するが、本発明は本実施例に限定されるものではない。
【実施例１】
【００１４】
図１は本発明の個人認証装置の正面図（ａ）及び側面断面図（ｂ）である。図２は個人認証装置の全体構成図である。図１及び図２に示すように、個人認証装置は、ケース前面に個人登録ＮＯ．を入力するテンキーボード６、入力状態を表示するＬＣＤ表示部１４、指を挿入する指挿入部２、固着部として認証対象指7を挿入する指挿入部２に設置されたヒンジ機構部１３及び電気励磁式マグネット１０を受ける磁性金属片１１を備えた指挿入開口蓋１２、ケース９内に電気励磁式マグネット１０を有する。
【００１５】
又、本実施例の個人認証装置は、認証対象指7に対し近赤外線の透過光３０を発する光源部２２、光源部２２から発せられる透過光３０と室内環境に存在する蛍光灯の人工光や自然光を分離するための干渉フィルタ部２３、認証対象指7を透過した透過光３０を撮像する撮像部２４、画像処理のスタートを示す信号を作成するためのスタートスイッチ５、撮像部２４で撮像された画像のデータ処理を行なうと共に、個人登録ＮＯ．の入力処理及び予め登録された個人登録ＮＯ．と照合し、照合合致時に電気励磁式マグネット１０のロックを解除する制御処理を行うデータ処理部３２で構成される。光源部２２は平らな絶縁基板上に９個の発光ダイオードが一列に形成されたものである。
【００１６】
データ処理部３２は、撮像部２４から出力される指静脈画像データを予め記憶部２８に保存されたデータと照合するために照合用データを作成する画像処理部２５、予め登録された照合データを保存する記憶部２８、画像処理部２５で作成された指静脈画像データと予め記憶部２８に保存されている指静脈画像データを照合する照合部２９、個人認証装置内の制御を行う制御部２７、照合結果を他機器３１に送信する通信処理部２６で構成されている。
【００１７】
また、個人認証装置の認証対象指7の指挿入部２には、認証対象指7の挿入時の認証対象指7の挿入長を規制し、認証対象指7の画像撮像時の位置を規制し指静脈画像の再現性を高めることを目的として、指長軸方向のずれを防止する為に認証対象指7の挿入部の最奥に指先端を突き当てる指突き当て部４を有する。指突き当て部４によって認証対象指7の挿入長を常に正しい位置に設定することができる。更に、指短軸方向のずれ及び指長軸を軸とした回転を防止する為にケース９の指挿入部の入口部に挿入指の中心位置２０を示す三角マーク１と、指の画像撮像部との位置ずれを防止する為に指挿入部の入口下部に指付け根部分を押し当てる下部指付け根押し当て部３とを有する。又、可動する指突き当て部４が設けられ、認証対象指７が指突き当て部４に到達し指突き当て部４を指軸方向に可動させ、スタートスイッチ５をＯＮにする。下部指付け根押し当て部３は指の外形に沿って凹状を有し、指の横方向への移動がないようにすると共に、指の第２関節と第３関節との間がやや浮き上がるように形成されている。認証対象指7はどの指でも良いが、一指し指又は中指が好ましい。
【００１８】
図３は本発明の個人認証装置の動作フローを示すブロック図である。図３に示すように、認証は、個人登録ＮＯ．をテンキーボード６からＩＤＮＯ.入力５１し、個人登録ＮＯ．のＩＤＮＯか５２照合を行い、照合がＯＫと判定した場合、指挿入部蓋ロック用の電気励磁式マグネット１０の励磁を解除し指挿入開口蓋１２を電気励磁マグネットＯＦＦ５３により開放する。照合がＮＧの場合は、指挿入開口蓋１２は閉じたままとなり、認証対象指７の挿入はできない。指挿入開口蓋１２の開放により続いて認証対象指７を個人認証装置の指挿入部２への指挿入５４により個人認証が開始され、以下の動作で行なわれる。
認証動作は、開放された指挿入部２から認証対象指７を挿入５４し、スタートスイッチ５のＯＮか５５により、光源部２２からの透過光３０が認証対象指７を通過し、指静脈データが撮像部２４に撮像され、登録指静脈画像データとの照合５７が行われる。撮像された指静脈画像データは、画像処理部２５において、位置ずれ補正処理等を行ない指静脈画像データを作成する。作成された指静脈画像データは、照合部２９において、予め記憶部２８に記憶されている指静脈画像データと照合ＯＮか５８が行なわれ、照合結果が通信処理部２６を経由し他機器３１に送信５９される。
【００１９】
また、認証動作開始は、図３の点線で示すように、個人登録ＮＯ．をテンキーボード６からＩＤＮＯ.入力５１し、個人登録されたＩＤＮＯ．か５２の照合を行い、照合ＯＫと判定した場合、上位装置通信処理部３３を介して上位装置３４にテンキーボード６より入力した個人登録ＮＯ．送信５２Ａし、上位装置３４から蓋開放ＯＫ受信か５２Ｂした時点で指挿入部蓋ロック用励磁式マグネット１０の励磁を解除し挿入開口蓋１２を開放５３する。照合がＮＧの場合は、挿入開口蓋１２は、閉じたままとなる。続いて認証対象指７を個人認証装置２１の指挿入部２に挿入５４することから開始することも可能である。
上位装置３４は、個人認証装置をネットワークを介して接続した場合の管理サーバであり、個人認証装置が使用されるシステムでは、主に入退管理システムというシステムで呼ばれ、システム全体を管理するものである。管理サーバに汎用ＬＡＮ等の通信回線を使用して認証装置が接続され、システム構築される。
【００２０】
以上のように、本実施例によれば、第３者のいたずらによる個人生体データ入力部を保護し、個人認証操作を確実に行うことができるものである。
【実施例２】
【００２１】
図４は本発明の個人認証装置の正面視図及び図５は個人認証装置の全体構成図である。図４及び図５に示すように、本実施例では、個人登録番号を使用しない装置においては、蓋開放指示ボタン１６及び監視カメラ３６を装備し、蓋開放指示ボタン１６のＯＮ／ＯＦＦ信号を制御部２７で入力し、蓋開放指示ボタン１６によりＯＮか否かを判断し、ＯＮの時、監視カメラ３６により顔画像を入力する。その後、蓋開放指示ボタン１６のＯＮデータ及び顔画像データを上位装置３４に送信する。上位装置３４から指挿入開口蓋１２の開放ＯＫデータを受信したことにより認証操作を開始させる方法である。
【００２２】
図６は本発明の個人認証装置の動作フローを示すブロック図である。図６に示すように、蓋開放指示ボタン１６のＯＮ／ＯＦＦ信号を制御部２７で入力し、蓋開放指示ボタン１６によりＯＮか７１否かを判断し、ＯＮの時、監視カメラ３６により顔画像が監視カメラ画像入力７２される。その後、蓋開放指示ボタン１６のＯＮデータ及び監視カメラ画像データを上位装置３４に送信７３され、上位装置３４から指挿入開口蓋１２の開放ＯＫデータを受信し、認証操作が実施例１と同様に開始される。
【００２３】
図７は本実施例の個人認証装置の正面視図（ａ）及び側面断面視図（ｂ）である。図７に示すように、指挿入開口蓋部１２の固着方法として、実施例１の電気励磁式マグネット部１０、磁性金属片１１及びヒンジ機構部１３を有する代わりに駆動機構部１７、蓋戻しバネ１８及び蓋開放ワイヤー１９を装備し、前述に示す蓋開放条件が成立した場合、駆動機構部１７を蓋開放ワイヤー１９を巻き取り方向に動作させ、指挿入開口蓋部１２を装置下方に移動させることによって認証対象指７が挿入できるように開放し、その後、実施例１と同様に認証動作を行い、その終了時は、駆動機構部１７を蓋開放ワイヤー１９伸長方向に動作させ、指挿入開口蓋部１２を個人認証装置の上方に移動させることによって閉じる制御を行うことが出来る。
【００２４】
以上のように、本実施例においても、第３者のいたずらによる個人生体データ入力部を保護し、個人認証操作を確実に行うことができるものである。
【図面の簡単な説明】
【００２５】
【図１】本発明の個人認証装置の正面図(ａ)及び側面図（ｂ）である。
【図２】本発明の個人認証装置の全体構成図である。
【図３】本発明の個人認証装置の動作を示すフロー図である。
【図４】本発明の個人認証装置の正面図である。
【図５】本発明の個人認証装置の全体構成図である。
【図６】本発明の個人認証装置の動作を示すフロー図である。
【図７】本発明の個人認証装置の正面図(ａ)及び側面図（ｂ）である。
【符号の説明】
【００２６】
１…指静脈データ照合部、２…指挿入部、３…上部指付け根押し当て部、４…指突き当て部、５…スタートスイッチ、６…テンキーボード、７…認証対象指、８…下部指付け根押し当て部、９…ケース、１０…電気励磁式マグネット、１１…磁性金属片、１２…指挿入開口蓋部、１３…ヒンジ機構部、１４…ＬＣＤ表示部、１５…個人登録番号入力部、１６…蓋開放指示ボタン、１７…駆動機構部、１８…蓋戻しバネ、１９…蓋開放ワイヤー、２１…個人認証装置、２２…光源部、２３…干渉フィルタ部、２４…撮像部、２５…画像処理部、２６…通信処理部、２７…制御部、２８…記憶部、２９…照合部、３０…透過光、３１…他機器、３２…データ処理部、３３…上位装置通信処理部、３４…上位装置、３５…カメラ画像入力部、３６…監視カメラ。
【図１】
2005128935.tif 000003
【図２】
2005128935.tif 000004
【図３】
2005128935.tif 000005
【図４】
2005128935.tif 000006
【図５】
2005128935.tif 000007
【図６】
2005128935.tif 000008
【図７】
2005128935.tif 000009